(57)【特許請求の範囲】
【請求項１】
布状素材からなる表地と、非吸水性素材からなる裏地とを有するシート状の２枚の被覆材同士を、前記裏地同士の間に布状素材からなるシート状の仕切り材を介在させて重ね合わせ、一方の被覆材と仕切り材との間に外周圧着部及び内部領域の部分圧着部により区画される第１収容層を、他方の被覆材と仕切り材との間に外周圧着部及び内部領域の部分圧着部により区画される第２収容層を形成して偏平な形態の２層式とした外装体と、
前記外装体内の第１収容層に流動が規制される状態で収納したジェル、ポリアクリル酸ナトリウム、硫酸アンモニウム、硫酸ナトリウム、グリセリン、水、防カビ剤を含む第１保冷媒体と、
前記外装体内の第２収容層に流動が規制される状態で収納したジェル、塩化カルシウム六水和物を主成分とし、水、防カビ剤を含む前記第１保冷媒体より柔軟性を有する第２保冷媒体と、
を有することを特徴とする２層式保冷具。
【請求項２】
綿材、ナイロン、ポリエステル、レーヨン、麻、起毛生地、ちりめん、楊柳、タオル地のうちから選定される一方の被覆材としての矩形シート状の表地と、高周波加熱により溶着可能なポリ塩化ビニルの非吸水性素材からなる他方の被覆材としての矩形シート状の裏地とを、前記裏地同士の間に高周波加熱により溶着可能なポリ塩化ビニルの非吸水性素材からなる布状素材を用いた矩形シート状の仕切り材を介在させて重ね合わせ、一方の被覆材の裏地と仕切り材との間に外周圧着部及び内部領域の部分圧着部により区画される第１収容層を形成し、他方の被覆材の裏地と仕切り材との間に同じく外周圧着部及び内部領域の部分圧着部により区画される第２収容層を形成して２層式で偏平矩形状とした形態の外装体と、
前記外装体内の第１収容層に流動が規制される状態で収納したジェル、ポリアクリル酸ナトリウム、硫酸アンモニウム、硫酸ナトリウム、グリセリン、水、防カビ剤を含む第１保冷媒体と、
前記外装体内の第２収容層に流動が規制される状態で収納したジェル、塩化カルシウム六水和物を主成分とし、水、防カビ剤を含む前記第１保冷媒体より柔軟性を有する第２保冷媒体と、
を有することを特徴とする２層式保冷具。
【請求項３】
綿材、ナイロン、ポリエステル、レーヨン、麻、起毛生地、ちりめん、楊柳、タオル地のうちから選定される一方の被覆材としての矩形シート状の表地と、高周波加熱により溶着可能なポリ塩化ビニルの非吸水性素材からなる他方の被覆材としての矩形シート状の裏地とを、前記裏地同士の間に高周波加熱により溶着可能なポリ塩化ビニルの非吸水性素材からなる布状素材を用いた矩形シート状の仕切り材を介在させて重ね合わせ、一方の被覆材の裏地と仕切り材との間に外周圧着部及び内部領域の部分圧着部により区画される第１収容層を形成し、他方の被覆材の裏地と仕切り材との間に同じく外周圧着部及び内部領域の部分圧着部により区画される第２収容層を形成して偏平矩形状の２層式とするとともに、シングルサイズ、シーツサイズ又は敷布団サイズ、枕サイズ、カーシートサイズ、ワイン保冷用シートサイズから選ばれるいずれかのサイズとした外装体と、
前記外装体内の第１収容層に流動が規制される状態で収納したジェル、ポリアクリル酸ナトリウム、硫酸アンモニウム、硫酸ナトリウム、グリセリン、水、防カビ剤を含む第１保冷媒体と、
前記外装体内の第２収容層に流動が規制される状態で収納したジェル、塩化カルシウム六水和物を主成分とし、水、防カビ剤を含む前記第１保冷媒体より柔軟性を有する第２保冷媒体と、
を有することを特徴とする２層式保冷具。
【請求項４】
綿材、ナイロン、ポリエステル、レーヨン、麻、起毛生地、ちりめん、楊柳、タオル地のうちから選定される一方の被覆材としての矩形シート状の表地と、高周波加熱により溶着可能なポリ塩化ビニルの非吸水性素材からなる他方の被覆材としての矩形シート状の裏地とを、前記裏地同士の間に高周波加熱により溶着可能なポリ塩化ビニルの非吸水性素材からなる布状素材を用いた矩形シート状の仕切り材を介在させて重ね合わせ、一方の被覆材の裏地と仕切り材との間に外周圧着部及び内部領域の部分圧着部により区画される第１収容層を形成し、他方の被覆材の裏地と仕切り材との間に同じく外周圧着部及び内部領域の部分圧着部により区画される第２収容層を形成して偏平矩形状の２層式とするとともに、シングルサイズ、シーツサイズ又は敷布団サイズ、枕サイズ、カーシートサイズ、ワイン保冷用シートサイズから選ばれるいずれかのサイズとした外装体と、
前記外装体内の第１収容層に流動が規制される状態で収納したジェル、ポリアクリル酸ナトリウム、硫酸アンモニウム、硫酸ナトリウム、グリセリン、水、防カビ剤を含む第１保冷媒体と、
前記外装体内の第２収容層に流動が規制される状態で収納したジェル、塩化カルシウム六水和物を主成分とし、水、防カビ剤を含む前記第１保冷媒体より柔軟性を有する第２保冷媒体と、
前記外装体を貫通する抜穴を有する熱溶着による多数の部分圧着部と、
を有することを特徴とする２層式保冷具。
【発明の詳細な説明】
【技術分野】
【０００１】
本発明は、２層式保冷具に関し、詳しくは、ジェルを含む保冷媒体の冷却効果を利用し人体各部の冷却用として使用し得るとともに、弾力性に優れ使用感が極めて良好な２層式保冷具に関するものである。
【背景技術】
【０００２】
従来からジェルを含む保冷媒体を枕サイズ、敷布団サイズ、シーツサイズ等の外装体内に収納して冷却パッドを構成し、高温期の就寝時等において、この保冷具を枕に被せて頭部を冷却したりベッド上に載置して身体の背中等を冷却したりすることが行われている。
【０００３】
このような冷却パッドの場合、内部に収納したジェルを含む保冷媒体の流動性が大きいことから、単に保冷媒体を外装体内に収納しただけでは身体の重さにより保冷媒体が外装体内で偏在してしまい、身体に対する冷却効果を十分に期待できなくなる。
【０００４】
一方、近年、枕サイズ、敷布団サイズ、座布団サイズ等に形成した弾力性を有する立体網物が実用化され、これを就寝時や和室等で用いることも行われている。
【０００５】
特許文献１には、冷却パッドに関連するものとして、枕サイズとした冷熱ゲルシートと、この冷熱ゲルシートを挿脱させる収納部を内部に備えた枕カバーとにより構成した冷熱ゲル枕が開示されている。
【０００６】
しかしながら、特許文献１の場合、人体頭部の冷却効果を発揮させることを主眼としていて、比較的小寸法なもので、含水ゲルの流動性の点を考慮するとこのような冷熱ゲル枕の構成をそのまま長尺なシーツサイズ等に応用したとしても十分な冷却効果を期待し得ないものと推定される。
【０００７】
本願出願人は、上述した観点から、先に枕サイズ、敷布団サイズ、シーツサイズ等のような各種サイズにおいて、保冷媒体の流動性による偏在を抑えて身体に対する十分な冷却効果を発揮し、かつ、適度な弾性を有し、使用感を良好とした保冷具に関する考案の実用新案登録出願を行い、実用新案登録を受けているものである（実用新案登録第３１４３１１７号）。
【先行技術文献】
【特許文献】
【０００８】
【特許文献１】特開２００２−２３３４４２号公報
【発明の概要】
【発明が解決しようとする課題】
【０００９】
本発明は、実用新案登録第３１４３１１７号に係る保冷具の考案を基とし、シングルサイズ、枕サイズ、敷布団サイズ、シーツサイズ等のような各種のサイズにおいて、保冷媒体の流動性による偏在を抑えて身体に対する十分な冷却効果を発揮するとともにそれ自体の保冷効果にも優れ、しかも、弾性をより増大し、使用感を極めて良好とした２層式保冷具を実現し提供するものである。
【課題を解決するための手段】
【００１０】
本発明は、布状素材からなる表地と、非吸水性素材からなる裏地とを有するシート状の２枚の被覆材同士を、前記裏地同士の間に布状素材からなるシート状の仕切り材を介在させて重ね合わせ、一方の被覆材と仕切り材との間に外周圧着部及び内部領域の部分圧着部により区画される第１収容層を、他方の被覆材と仕切り材との間に外周圧着部及び内部領域の部分圧着部により区画される第２収容層を形成して偏平な形態の２層式とした外装体と、前記外装体内の第１収容層に流動が規制される状態で収納したジェル、ポリアクリル酸ナトリウム、硫酸アンモニウム、硫酸ナトリウム、グリセリン、水、防カビ剤等を含む第１保冷媒体と、前記外装体内の第２収容層に流動が規制される状態で収納したジェル、塩化カルシウム六水和物を主成分とし、水、防カビ剤等を含む前記第１保冷媒体より柔軟性を有する第２保冷媒体と、を有することを最も主要な特徴とする。
【発明の効果】
【００１１】
請求項１記載の発明によれば、外装体内の第１保冷媒体及び第２保冷媒体の流動性による偏在を抑えて使用者の身体に対する十分な冷却効果を発揮するとともにそれ自体の保冷効果にも優れ、しかも、第２保冷媒体の柔軟性と相俟って弾性がより増大し、使用感を極めて良好なものとすることができる２層式保冷具を実現し提供することができる。
【００１２】
請求項２記載の発明によれば、外装体を、綿材、ナイロン、ポリエステル、レーヨン、麻、起毛生地、ちりめん、楊柳、タオル地のうちから選ばれる一方の被覆材としての矩形シート状の表地と、高周波加熱により溶着可能なポリ塩化ビニルの非吸水性素材からなる他方の被覆材としての矩形シート状の裏地とを具備する２枚の被覆材と、前記裏地同士の間に高周波加熱により溶着可能なポリ塩化ビニルの非吸水性素材からなる布状素材を用いた矩形シート状の仕切り材とを用いて偏平な形態の２層式とし、外装体内に第１保冷媒体及び第２保冷媒体を収容した構成の基に、請求項１記載の発明と同様な効果を発揮させることができる。
【００１３】
請求項３記載の発明によれば、請求項２記載の発明と同様な構成で、かつ、外装体のサイズをシングルサイズ、シーツサイズ又は敷布団サイズ、枕サイズ、カーシートサイズ、ワイン保冷用シートサイズから選ばれるいずれかのサイズとした構成の基に、外装体内の第１保冷媒体及び第２保冷媒体の流動性による偏在を抑えて就寝する使用者の身体に対する十分な冷却効果を発揮させ、又は、自動車の運転者の身体の一部である脚部等に対する十分な冷却効果を発揮させ、更には、ワインに対する冷却効果を発揮させることができる２層式保冷具を実現し提供することができる。
【００１４】
請求項４記載の発明によれば、請求項３記載の発明と同様な構成で、かつ、外装体に抜穴を有する多数の部分圧着部を付加した構成で、請求項３記載の発明と同様な効果を発揮し、かつ、熱の放熱作用も良好な２層式保冷具を実現し提供することができる。
【図面の簡単な説明】
【００１５】
【図１】図１は本発明の実施例１に係る２層式保冷具の正面図である。
【図２】図２は本実施例１に係る２層式保冷具の背面図である。
【図３】図３は本実施例１に係る２層式保冷具の概略断面図である。
【図４】図４は本実施例１に係る２層式保冷具の使用態様の一例を示す説明図である。
【図５】図５は冷却効果確認試験における被検者の温度測定箇所を示す説明図である。
【図６】図６は試験品である単層保冷具の平面図である。
【図７】図７は試験品である単層保冷具の概略断面図である。
【図８】図８は試験品であるハニカムメッシュ付き保冷具の平面図である。
【図９】図９は試験品であるハニカムメッシュ付き保冷具の平面図である。
【図１０】図１０は試験品であるハニカムメッシュ付き保冷具の概略断面図である。
【図１１】図１１は冷却効果確認試験における被検者Ａについての３種の試験品に関する温度測定の結果を条件１、条件２に分けて示す図である。
【図１２】図１２は冷却効果確認試験における被検者Ｎについての３種の試験品に関する温度測定の結果を条件１、条件２に分けて示す図である。
【図１３】図１３は冷却効果確認試験における被検者Ａについての３種の試験品に関するサーモグラフィ表面温度測定の結果を条件１、条件２に分けて示す図である。
【図１４】図１４は冷却効果確認試験における被検者Ａについての３種の試験品に関するサーモグラフィ表面温度変化の結果を条件１、条件２に分けて示すグラフである。
【図１５】図１５は被検者Ａが使用した試験品である単層保冷具についての条件１における使用前、及び６０分使用直後から使用後３０分までの５分間隔の７枚、合計８枚の各サーモグラフィ表面温度解析画像を概略的に示す図である。
【図１６】図１６は被検者Ａが使用した本実施例１に係る２層式保冷具についての条件１における使用前、及び６０分使用直後から使用後３０分までの５分間隔の７枚、合計８枚の各サーモグラフィ表面温度解析画像を概略的に示す図である。
【図１７】図１７は被検者Ａが使用した試験品であるハニカムメッシュ付き保冷具についての条件１における使用前、及び６０分使用直後から使用後３０分までの５分間隔の７枚、合計８枚の各サーモグラフィ表面温度解析画像を概略的に示す図である。
【図１８】図１８は被検者Ａが使用した試験品である単層保冷具についての条件２における使用前、及び６０分使用直後から使用後３０分までの５分間隔の７枚、合計８枚の各サーモグラフィ表面温度解析画像を概略的に示す図である。
【図１９】図１９は被検者Ａが使用した本実施例１に係る２層式保冷具についての条件２における使用前、及び６０分使用直後から使用後３０分までの５分間隔の７枚、合計８枚の各サーモグラフィ表面温度解析画像を概略的に示す図である。
【図２０】図２０は被検者Ａが使用した試験品であるハニカムメッシュ付き保冷具についての条件２における使用前、及び６０分使用直後から使用後３０分までの５分間隔の７枚、合計８枚の各サーモグラフィ表面温度解析画像を概略的に示す図である。
【図２１】図２１は冷却効果確認試験における被検者Ｎについての３種の試験品に関するサーモグラフィ表面温度測定の結果を条件１、条件２に分けて示す図である。
【図２２】図２２は冷却効果確認試験における被検者Ｎについての３種の試験品に関するサーモグラフィ表面温度変化の結果を条件１、条件２に分けて示すグラフである。
【図２３】図２３は被検者Ｎが使用した試験品である単層保冷具についての条件１における使用前、及び６０分使用直後から使用後３０分までの５分間隔の７枚、合計８枚の各サーモグラフィ表面温度解析画像を概略的に示す図である。
【図２４】図２４は被検者Ｎが使用した本実施例１に係る２層式保冷具についての条件１における使用前、及び６０分使用直後から使用後３０分までの５分間隔の７枚、合計８枚の各サーモグラフィ表面温度解析画像を概略的に示す図である。
【図２５】図２５は被検者Ｎが使用した試験品であるハニカムメッシュ付き保冷具についての条件１における使用前、及び６０分使用直後から使用後３０分までの５分間隔の７枚、合計８枚の各サーモグラフィ表面温度解析画像を概略的に示す図である。
【図２６】図２６は被検者Ｎが使用した試験品である単層保冷具についての条件２における使用前、及び６０分使用直後から使用後３０分までの５分間隔の７枚、合計８枚の各サーモグラフィ表面温度解析画像を概略的に示す図である。
【図２７】図２７は被検者Ｎが使用した本実施例１に係る２層式保冷具についての条件２における使用前、及び６０分使用直後から使用後３０分までの５分間隔の７枚、合計８枚の各サーモグラフィ表面温度解析画像を概略的に示す図である。
【図２８】図２８は被検者Ｎが使用した試験品であるハニカムメッシュ付き保冷具についての条件２における使用前、及び６０分使用直後から使用後３０分までの５分間隔の７枚、合計８枚の各サーモグラフィ表面温度解析画像を概略的に示す図である。
【図２９】図２９は本実施例１の変形例である２層式保冷具を示す平面図である。
【図３０】図３０は本発明の実施例２に係る２層式保冷具を示す平面図である。
【図３１】図３１は本発明の実施例３に係る２層式保冷具を示す平面図である。
【発明を実施するための形態】
【００１６】
本発明は、シングルサイズ、枕サイズ、敷布団サイズ、シーツサイズ等のような各種のサイズにおいて、保冷媒体の流動性による偏在を抑えて身体に対する十分な冷却効果を発揮するとともにそれ自体の保冷効果にも優れ、しかも、弾性をより増大し、使用感を極めて良好とした２層式保冷具を実現し提供するという目的を、綿材、ナイロン、ポリエステル、レーヨン、麻、起毛生地、ちりめん、楊柳、タオル地のうちから選定される一方の被覆材としての矩形シート状の表地と、高周波加熱により溶着可能なポリ塩化ビニルの非吸水性素材からなる他方の被覆材としての矩形シート状の裏地とを、前記裏地同士の間に高周波加熱により溶着可能なポリ塩化ビニルの非吸水性素材からなる布状素材を用いた矩形シート状の仕切り材を介在させて重ね合わせ、一方の被覆材の裏地と仕切り材との間に外周圧着部及び内部領域の部分圧着部により区画される第１収容層を形成し、他方の被覆材の裏地と仕切り材との間に同じく外周圧着部及び内部領域の部分圧着部により区画される第２収容層を形成して偏平矩形状の２層式とするとともに、シングルサイズ、シーツサイズ又は敷布団サイズ、枕サイズ、カーシートサイズ、ワイン保冷用シートサイズから選ばれるいずれかのサイズとした外装体と、前記外装体内の第１収容層に流動が規制される状態で収納したジェル、ポリアクリル酸ナトリウム、硫酸アンモニウム、硫酸ナトリウム、グリセリン、水、防カビ剤を含む第１保冷媒体と、前記外装体内の第２収容層に流動が規制される状態で収納したジェル、塩化カルシウム六水和物を主成分とし、水、防カビ剤を含む前記第１保冷媒体より柔軟性を有する第２保冷媒体と、を有する構成により実現した。
【実施例１】
【００１７】
以下、本発明の実施例１に係る２層式保冷具１について詳細に説明する。
【００１８】
本実施例１に係る２層式保冷具１は、例えば図４に示すように敷布団又はマットレス等の敷物９上に敷き、その上に使用者Ｍが上半身の腰から肩の領域を当てて就寝するような態様で使用するものである。
【００１９】
本実施例１に係る２層式保冷具１は、図１乃至図３に示すように、例えば綿材、ナイロン、ポリエステル、レーヨン、麻、起毛生地、ちりめん、楊柳、タオル地等からなる一方の被覆材としての表地３と、高周波加熱により溶着可能な例えばポリ塩化ビニル（ＰＶＣ）等の非吸水性素材からなる他方の被覆材としての裏地４とを、前記裏地４同士の間に高周波加熱により溶着可能な例えばポリ塩化ビニル（ＰＶＣ）等の非吸水性素材からなる布状素材を用いたシート状の仕切り材５を介在させて重ね合わせ、一方の被覆材の裏地４と仕切り材５との間に外周圧着部６及び内部領域の部分圧着部７により区画される第１収容層８ａを形成し、他方の被覆材の裏地４と仕切り材５との間に同じく外周圧着部６及び内部領域の直線状の部分圧着部７により区画される第２収容層８ｂを形成して偏平な形態の２層式とした外装体２を具備している。
【００２０】
そして、本実施例１に係る２層式保冷具１は、前記外装体２内の第１収容層８ａに流動が規制される状態で収納したジェル、ポリアクリル酸ナトリウム、硫酸アンモニウム、硫酸ナトリウム、グリセリン、水、防カビ剤等を含む第１保冷媒体１１と、前記外装体２内の第２収容層８ｂに流動が規制される状態で収納したジェル、塩化カルシウム六水和物（Calcium chloride hexahydrate）を主成分とし、水、防カビ剤等を含む前記第１保冷媒体１１より柔軟性を有する第２保冷媒体１２と、を有している。
【００２１】
なお、前記塩化カルシウム六水和物は、無色潮解性結晶からなるものである。
【００２２】
更に、本実施例１に係る２層式保冷具１は、外装体２の四辺外周部を覆うように縫着した綿材のような周辺逢着材１３を有している。
【００２３】
前記２層式保冷具１における外装体２の形状、サイズは、矩形シート状でシングルサイズ（例えば幅９０ｃｍ、長さ９０ｃｍ）としている。前記外装体２の形状、サイズは、この他種々の態様が存在するが、これについては後述する。
【００２４】
前記部分圧着部７としては、図１に示す場合の他、波形状の部分圧着部、長方形状の部分圧着部、傾斜平行配置で略長方形状を呈する複数個の部分圧着部、クロス配置で各々が略長方形状を呈し、点在する複数個の部分圧着部等、種々の形態のものを選定することができる。
【００２５】
本実施例１によれば、図４に示すような使用態様の基に、第１保冷媒体１１及び第２保冷媒体１２の流動性による偏在を抑えて使用者Ｍの身体、特に腰から肩の領域に対する十分な冷却効果を発揮するとともにそれ自体の保冷効果にも優れた２層式保冷具１を実現し提供することができる。
【００２６】
また、本実施例１によれば、前記第２保冷媒体１２の柔軟性と相俟って弾性がより増大し、使用感を極めて良好なものとすることができる２層式保冷具１を実現し提供することができる。
【００２７】
更に、本実施例１の２層式保冷具１によれば、前記２枚の被覆材のいずれを上面として使用してもよく、すなわち、リバーシブル使用が可能であり、長期間の使用に耐え得る２層式保冷具１とすることができる。
【００２８】
なお、本実施例１における２層式保冷具１は、上述したような敷布団又はマットレス等のような敷物９上に敷いて使用する他、これ自体を床上に置き単体で使用できることは勿論である。
【００２９】
また、前記２層式保冷具１の外装体２を構成する表地３、裏地４に代替して、当該外装体２自体を一枚もののポリ塩化ビニル材から形成して実施することもできる。この場合、外装体２を形成するポリ塩化ビニル材を透明なものとして実施しても良い。この場合においても、前記２層式保冷具１と略同様な２層式保冷具を実現できる。
【００３０】
次に、本実施例１に係る２層式保冷具１について実施した冷却効果確認試験について詳述する。
【００３１】
この冷却効果確認試験の試験内容は以下の通りである。
（１）温度測定
以下の条件で３種の試験品を使用した際の各試験品と衣服との間の温度を測定した。
試験時間：６０分
測定箇所：図５に示す使用者Ｍの肩甲骨と肩甲骨の間（中央部）に対応する部分
測定間隔：１分毎
【００３２】
（２）サーモグラフィ表面温度測定
前記（１）の温度測定後、被検者が起き上がった後の各試験品の生地表面を５分毎に３０分まで撮影し、表面温度を測定した。
温度測定範囲：背面接触部分
撮影範囲：首元からウェストに対応する部分
【００３３】
（３）共通事項
上述した（１）温度測定、（２）サーモグラフィ表面温度測定に関する共通事項は以下の通りである。
試験品は２０分程試験環境になじませてから各測定を行った。
試験の際には敷布団の上に試験品を置き、掛け布団を掛けず、安静状態で行った。
試験は被検者がパシャマを着用した状態で行った。
【００３４】
（４）試験環境
条件１：２５．０℃±２℃、４０±５％ＲＨ
条件２：３０．０℃±２℃、４０±５％ＲＨ
【００３５】
（５）敷布団
表地：ポリエステル８０％、綿２０％
裏地：ポリエステル８０％、綿２０％
詰め物：ポリエステル１００％、まき綿２．０ｋｇ、硬綿１．０ｋｇ
【００３６】
（６）被検者：２人
被検者Ａ：性別女性、年齢２４、身長１７３ｃｍ、体重５９ｋｇ
被検者Ｎ：性別女性、年齢３９、身長１６０ｃｍ、体重４８ｋｇ
【００３７】
（７）被検者の衣服：
パシャマ：フライスクールネックＴシャツ七分袖（綿１００％）、ハーフパンツ
上半身は下着を着用しないものとした。
【００３８】
（８）試験品：３種
ａ．本実施例１に係る２層式保冷具１（２層式ジェルマット：シングルサイズ）
ｂ．図６、図７に示す単層保冷具２１（単層ジェルマット：シングルサイズ）
ｃ．図８乃至図１０に示すハニカムメッシュ付き保冷具３１（ハニカムメッシュ付きジェルマット：シングルサイズ
【００３９】
前記単層保冷具２１は、図６、図７に示すように、例えば綿材、ポリエステル、レーヨン、麻、起毛生地、ちりめん、楊柳、タオル地などからなる表地２３と、高周波加熱により溶着可能な例えばポリ塩化ビニル（ＰＶＣ）等の非給水性素材からなる裏地２４と重合した一方の被覆材２２ａと、同様な構成の表地２３、裏地２４からなる他方の被覆材２２ｂとを前記裏地２４同士が対向する配置で重ね合わせた外装体２５と、この外装体２５内に密封収納したジェルを含む保冷媒体２６と、を有している。
【００４０】
前記保冷媒体２６は、前記両裏地２４同士の高周波加熱による四辺外周圧着部２７、内側の部分圧着部２８等の所定の圧着パターンの基にその流動が規制される状態で外装体２５内に密封収納している。前記両表地２３の外面側には、防かび加工を施している。また、前記四辺外周圧着部２７の外側の外縁部には側地２９を配置し（ヘム巻）、全周にわたって縫製加工により縫合している。
【００４１】
前記ジェルを含む保冷媒体２６の組成は、例えば、ジェル、ポリアクリル酸ナトリウム、硫酸アンモニウム、硫酸ナトリウム、グリセリン、水、防カビ剤等からなものである。
【００４２】
前記ハニカムメッシュ付き保冷具３１は、図８乃至図１０に示すように、例えば綿材、ナイロン、ポリエステル、レーヨン、麻、起毛生地、ちりめん、楊柳、タオル地等からなる表地３３と、高周波加熱により溶着可能な例えばポリ塩化ビニル（ＰＶＣ）等の非吸水性素材からなる裏地３４とを重合した一方の被覆材と、同様な構成の表地３３、裏地３４からなる他方の被覆材とを前記裏地３４同士が対向する配置で重ね合わせ、高周波加熱加工を施した外装体３２と、この外装体３２内に散在状態で密封収納したジェルを含む保冷媒体３５と、を有する保冷具３６と、前記保冷具３６に対応するサイズに形成され、その一面に重合配置される偏平な形態の多穴弾性体３７と、前記保冷具３６の外装体３２、多穴弾性体３７の四辺外周部を覆うように縫着され、前記保冷具３６、多穴弾性体３７を一体化した綿材のような周辺逢着材３８と、を有している。前記保冷具３６は、部分圧着部３６ａ、周辺圧着部３６ｂ、放熱用の孔３６ｃを有している。
【００４３】
前記多穴弾性体３７は、多数の穴３９が連続して連なる形態の矩形シート状の例えばポリエステル材又はナイロン材のような網目状表地４０及び網目状裏地４１を対向配置とし、前記網目状表地４０、網目状裏地４１の対向する網材間を各々間隔を隔て多数の弾性連結糸材４２により連結することにより、前記網目状表地４０、網目状裏地４１間に弾性（バネ性）及び通気性を持たせた構成となっている。
【００４４】
（９）温度測定の測定結果
被検者Ａに関する前記３種の試験品についての前記（１）の温度測定の結果を図１１の上覧、下欄に条件１、条件２に分けて示す。
【００４５】
また、被検者Ｎに関する３種の試験品についての前記（１）の温度測定の結果を図１２の上覧、下欄に条件１、条件２に分けて示す。
【００４６】
被検者Ａについては、本実施例１に係る２層式保冷具１の場合には、図１１から明らかなように０分から６０分経過までの温度上昇は、条件１の場合１．７℃、条件２の場合１．２℃であり、これに対して前記単層保冷具２１の場合には、０分から６０分経過までの温度上昇は、条件１の場合５．９℃、条件２の場合４．０℃である。また、前記ハニカムメッシュ付き保冷具３１の場合には、条件１の場合５．３℃、条件２の場合４．２℃である。
【００４７】
次に、被検者Ｎについては、本実施例１の２層式保冷具１の場合には、図１２から明らかなように０分から６０分経過までの温度上昇は、条件１の場合２．６℃、条件２の場合１．４℃であり、これに対して前記単層保冷具２１の場合には、０分から６０分経過までの温度上昇は、条件１の場合４．１℃、条件２の場合２．８℃である。また、前記ハニカムメッシュ付き保冷具３１の場合には、条件１の場合４．２℃、条件２の場合２．８℃である。
【００４８】
以上から、実施例１に係る２層式保冷具１は、他の２つの試験品（単層保冷具２１、ハニカムメッシュ付き保冷具３１）に比べて時間経過に伴う温度上昇が少なく、被検者に対する冷却効果が長く持続することが判明した。
【００４９】
（１０）サーモグラフィ表面温度測定の結果
被検者Ａに関する前記３種の試験品についての前記（２）の表面温度測定の結果を図１３の上覧、下欄に条件１、条件２に分けて示す。
【００５０】
被検者Ａについては、本実施例１に係る２層式保冷具１の場合には、使用済み直後から３０分後までの温度下降は、図１３の上覧、下欄及び図１４の上覧、下欄に示すように、条件１の場合−２．９℃、条件２の場合−１．４℃であり、これに対して、前記単層保冷具２１の場合には、条件１の場合−５．７℃、条件２の場合−４．２℃である。また、前記ハニカムメッシュ付き保冷具３１の場合には、条件１の場合−６．６℃、条件２の場合−５．３℃である。
【００５１】
次に、被検者Ｎについては、本実施例１に係る２層式保冷具１の場合には、使用済み直後から３０分後までの温度下降は、図２１の上覧、下欄及び図２２の上覧、下欄に示すように、条件１の場合−２．４℃、条件２の場合−１．８℃であり、これに対して前記単層保冷具２１の場合には、条件１の場合−６．０℃、条件２の場合−４．１℃である。また、前記ハニカムメッシュ付き保冷具３１の場合には、条件１の場合−６．１℃、条件２の場合−４．２℃である。
【００５２】
以上から、本実施例１の２層式保冷具１は、他の２つの試験品（単層保冷具２１、ハニカムメッシュ付き保冷具３１）に比べて、図１３中の使用直後の温度上昇が抑えられていて温度変化（温度上昇）が少なく、２層式保冷具１自体の保冷効果に優れていることが判明した。
【００５３】
図１５乃至図２０は、被検者Ａについての３種の試験品に関するサーモグラフィ表面温度解析画像の概略を示すものである。
【００５４】
すなわち、図１５は単層保冷具２１についての条件１における使用前、及び６０分使用直後から使用後３０分までの５分間隔の７枚、合計８枚の各サーモグラフィ表面温度解析画像の概略を示す。
【００５５】
図１６は、本実施例１に係る２層式保冷具１についての条件１における使用前、及び６０分使用直後から使用後３０分までの５分間隔の７枚、合計８枚の各サーモグラフィ表面温度解析画像の概略を示す。
【００５６】
図１７は、ハニカムメッシュ付き保冷具３１についての条件１における使用前、及び６０分使用直後から使用後３０分までの５分間隔の７枚、合計８枚の各サーモグラフィ表面温度解析画像の概略を示す。
【００５７】
図１８は単層保冷具２１についての条件２における使用前、及び６０使用直後から使用後３０分までの５分間隔の７枚、合計８枚の各サーモグラフィ表面温度解析画像の概略を示す。
【００５８】
図１９は、本実施例１に係る２層式保冷具１についての条件２における使用前、及び６０分使用直後から使用後３０分までの５分間隔の７枚、合計８枚の各サーモグラフィ表面温度解析画像の概略を示す。
【００５９】
図２０は、ハニカムメッシュ付き保冷具３１についての条件２における使用前、及び６０分使用直後から使用後３０分までの５分間隔の７枚、合計８枚の各サーモグラフィ表面温度解析画像の概略を示す。
【００６０】
次に、図２３乃至図２８は、被検者Ｎについての３種の試験品に関するサーモグラフィ表面温度解析画像の概略を示すものである。
【００６１】
すなわち、図２３は単層保冷具２１についての条件１における使用前、及び６０分使用直後から使用後３０分までの５分間隔の７枚、合計８枚の各サーモグラフィ表面温度解析画像の概略を示す。
【００６２】
図２４は、本実施例１に係る２層式保冷具１についての条件１における使用前、及び６０分使用直後から使用後３０分までの５分間隔の７枚、合計８枚の各サーモグラフィ表面温度解析画像の概略を示す。
【００６３】
図２５は、ハニカムメッシュ付き保冷具３１についての条件１における使用前、及び６０分使用直後から使用後３０分までの５分間隔の７枚、合計８枚の各サーモグラフィ表面温度解析画像の概略を示す。
【００６４】
図２６は単層保冷具２１についての条件２における使用前、及び６０使用直後から使用後３０分までの５分間隔の７枚、合計８枚の各サーモグラフィ表面温度解析画像の概略を示す。
【００６５】
図２７は、本実施例１に係る２層式保冷具１についての条件２における使用前、及び６０分使用直後から使用後３０分までの５分間隔の７枚、合計８枚の各サーモグラフィ表面温度解析画像の概略を示す。
【００６６】
図２８は、ハニカムメッシュ付き保冷具３１についての条件２における使用前、及び６０分使用直後から使用後３０分までの５分間隔の７枚、合計８枚の各サーモグラフィ表面温度解析画像の概略を示す。
【００６７】
次に、図２９を参照して本実施例１に係る２層式保冷具１の変形例である２層式保冷具１Ａについて説明する。
図２９に示す２層式保冷具１Ａは、上述した２層式保冷具１の構成に加えて、例えば円環状で、かつ、放熱用の円形の多数の抜穴（貫通穴）Ｈを有する熱溶着による多数の部分圧着部７ａを外装体２に付加したことが特徴である。図２９には、抜穴Ｈを合計４８個設けた例を示している。
【００６８】
前記部分圧着部７ａ及び抜穴Ｈの形成方法としては、まず、外装体２に対して高周波加熱により合計で４８個の部分圧着部７ａを形成し、次に、各部分圧着部７ａの中央部分にやはり高周波加熱により各々抜穴Ｈを開けるものである。
前記各部分圧着部７ａ、各抜穴Ｈの形成個数は、各々図示例に限定されるものでないことは勿論である。
【００６９】
この変形例の２層式保冷具１Ａによれば、上述した２層式保冷具１の場合と同様な作用、効果を発揮するとともに、前記多数の抜穴Ｈを設けたことによって、この抜穴Ｈを通じて使用者Ｍの身体、特に腰から肩に至る領域からの熱の放熱作用を極めて良好に行うことができ、使用者Ｍの使用感をより高めることができる。
【実施例２】
【００７０】
次に、図３０を参照して本発明の実施例２に係る２層式保冷具１Ｂについて説明する。
【００７１】
なお、図３０に示す本実施例２に係る２層式保冷具１Ｂにおいて、既述した実施例１に係る２層式保冷具１の場合と同一の要素には同一の符号を付し、その詳細説明は省略する。
【００７２】
本実施例２に係る２層式保冷具１Ｂは、基本的構成を前記実施例１に係る２層式保冷具１と同様とするとともに、２層式保冷具１Ｂ自体の形状、サイズを、矩形シート状でシーツ用サイズ又は敷布団サイズ（例えば幅９０ｃｍ、長さ１８０ｃｍ）としたことが特徴である。
本実施例２に係る２層式保冷具１Ｂによれば、この２層式保冷具１Ｂをベッドや敷布団上のシーツの上に置き、使用者Ｍが就寝する際に、当該使用者Ｍの身体、すなわち、肩、背中、腰、足にわたる領域について、上述した２層式保冷具１の場合と同様な作用、効果を発揮させることができる。
【００７３】
また、本実施例２に係る２層式保冷具１Ｂについて、図２９に示す場合と同様な放熱用の円形の多数の抜穴を有する熱溶着による多数の部分圧着部を外装体２に設けることも勿論可能であり、この場合には、この抜穴を通じて使用者Ｍの身体、すなわち、肩、背中、腰、足にわたる領域からの熱の放熱作用を極めて良好に行うことができ、使用者Ｍの使用感をより高めることができる。
【００７４】
更に、本実施例２の２層式保冷具１Ｂによれば、外装体２のいずれを上面として使用してもよく、すなわち、リバーシブル使用が可能であり、長期間の使用に耐え得る２層式保冷具１Ｂとすることができる。
なお、本実施例２における２層式保冷具１Ｂは、ベッドや敷布団上のシーツの上に置いて使用する場合の他、これ自体を床等の上に置き単体で使用できることは勿論である。
【実施例３】
【００７５】
次に、図３１を参照して本発明の実施例３に係る２層式保冷具１Ｃについて説明する。
なお、図３１に示す実施例３に係る２層式保冷具１Ｃにおいて、既述した実施例１に係る２層式保冷具１の場合と同一の要素には同一の符号を付し、その詳細説明は省略する。
【００７６】
本実施例３に係る２層式保冷具１Ｃは、基本的構成を実施例１に係る２層式保冷具１と同様とするとともに、２層式保冷具１Ｃ自体の形状、サイズを、矩形シート状で枕用サイズ（例えば幅３０ｃｍ、長さ４０ｃｍ）としたことが特徴である。
【００７７】
本実施例３に係る２層式保冷具１Ｃによれば、この２層式保冷具１Ｃをベッドや敷布団上の枕の上に置き、使用者Ｍが頭部を載せて就寝する際に、当該使用者Ｍの頭部について上述した２層式保冷具１の場合と同様な作用、効果を発揮させることができる。
【００７８】
また、本実施例３に係る２層式保冷具１Ｃについて、図２９に示す場合と同様な放熱用の円形の多数の抜穴を有する熱溶着による多数の部分圧着部を外装体２に設けることも勿論可能であり、この場合には、この抜穴を通じて使用者Ｍの頭部の領域からの熱の放熱作用を極めて良好に行うことができ、使用者Ｍの使用感をより高めることができる。
【００７９】
更に、本実施例３の２層式保冷具１Ｃによれば、外装体２のいずれを上面として使用してもよく、すなわち、リバーシブル使用が可能であり、長期間の使用に耐え得る２層式保冷具１Ｃとすることができる。
【００８０】
なお、本実施例３における２層式保冷具１Ｃは、枕の上に置いて使用する場合の他、これ自体を単体で使用できることは勿論である。
【産業上の利用可能性】
【００８１】
本発明の２層式保冷具は、上述したように主に就寝時に用いる他、夏場等における疲労回復用、スポーツ後の休息用等として広範な用途に適用可能である。また、本発明の２層式保冷具は、上述した場合の他、カーシート上に敷いて使用するためのカーシートサイズ、座布団上に敷いて使用するための座布団サイズ、更には、ワインを保冷するためのワイン保冷用シートサイズ等、種々の応用が可能である。
【符号の説明】
【００８２】
１    ２層式保冷具
１Ａ  ２層式保冷具
１Ｂ  ２層式保冷具
１Ｃ  ２層式保冷具
２    外装体
３    表地
４    裏地
５    仕切り材
６    外周圧着部
７    部分圧着部
７ａ  部分圧着部
８ａ  第１収容層
８ｂ  第２収容層
９    敷物
１１    第１保冷媒体
１２    第２保冷媒体
１３    周辺逢着材
２１    単層保冷具
２２ａ  被覆材
２２ｂ  被覆材
２３    表地
２４    裏地
２５    外装体
２６    保冷媒体
２７    四辺外周圧着部
２８    部分圧着部
２９    側地
３１    ハニカムメッシュ付き保冷具
３２    外装体
３３    表地
３４    裏地
３５    保冷媒体
３６    保冷具
３６ａ  部分圧着部
３６ｂ  周辺圧着部
３６ｃ  孔
３７    多穴弾性体
３８    周辺逢着材
３９    穴
４０    網目状表地
４１    網目状裏地
４２    弾性連結糸材
Ｍ    使用者
Ｈ    抜穴
【図１】
0005491262.tif 000002
【図２】
0005491262.tif 000003
【図３】
0005491262.tif 000004
【図４】
0005491262.tif 000005
【図５】
0005491262.tif 000006
【図６】
0005491262.tif 000007
【図７】
0005491262.tif 000008
【図８】
0005491262.tif 000009
【図９】
0005491262.tif 000010
【図１０】
0005491262.tif 000011
【図１１】
0005491262.tif 000012
【図１２】
0005491262.tif 000013
【図１３】
0005491262.tif 000014
【図２１】
0005491262.tif 000015
【図２９】
0005491262.tif 000016
【図３０】
0005491262.tif 000017
【図３１】
0005491262.tif 000018
【図１４】
0005491262.tif 000019
【図１５】
0005491262.tif 000020
【図１６】
0005491262.tif 000021
【図１７】
0005491262.tif 000022
【図１８】
0005491262.tif 000023
【図１９】
0005491262.tif 000024
【図２０】
0005491262.tif 000025
【図２２】
0005491262.tif 000026
【図２３】
0005491262.tif 000027
【図２４】
0005491262.tif 000028
【図２５】
0005491262.tif 000029
【図２６】
0005491262.tif 000030
【図２７】
0005491262.tif 000031
【図２８】
0005491262.tif 000032